(57)【特許請求の範囲】
【請求項１】
円筒状の多翼の羽根車を有する貫流ポンプを中心にして、羽根車を保持するケ−シング側面幅に合わせた、幅広の吸込み取水路と吐出し流路を構成し、該貫流ポンプの吐出し口流路に接続して配置される上部開放型浮遊物回収用分離タンクと、を備え、該貫流ポンプの回転軸を駆動用モ−タに接続して成る浮遊物回収用ポンプ装置であって、該貫流ポンプの羽根車の直前の幅広の吸込み流路内に、該貫流ポンプの吸込み口に向かって、水平面に対して傾斜させたガイド板を水面近くに没した状態で横設し、前記羽根車の上端が水面近くに没する程度にポンプを設置した構成の浮遊物回収用ポンプ装置を船や筏と一体化してセットすることにより、水面近くに浮遊する浮遊物を船首部の取水口から取り込み、ポンプにより吸引して取り込んだ後、吐出し口流路に接続した前記浮遊物回収用分離タンクへ導き、浮遊物を水との比重差を利用して分離し、水面側に集積した浮遊物のみをまとめて回収し、比重の大きい余分の水は、タンク底部の開口部より船外に自然流出させ、タンク内外の水位差のバランスを保つことにより、浮遊物回収の連続運転を可能にしたことを特徴とする浮遊物回収用ポンプ装置および回収船
【請求項２】
請求項１に記載の貫流ポンプの各羽根外径寸法を羽根車側板の外径より少し外側に突き出した構造にし、浮遊物を吸込み口へ掻き込みやすくしたことを特徴とする浮遊物回収用ポンプ装置および回収船
【請求項３】
請求項１または２に記載の貫流ポンプの羽根車回転軸を多数の散気孔を有する中空回転軸にし、羽根車外部より該中空回転軸を通して羽根車内に処理液や洗浄液を供給、あるいは同時にエアも供給し、該散気孔よりそれらを微粒化して流れの中に噴出させることにより、水質の浄化、装置内の洗浄および微細気泡による浮遊物の浮上助長が出来るようにしたことを特徴とする浮遊物回収用ポンプ装置および回収船
【請求項４】
請求項１乃至３のいずれか１項に記載のポンプ吐出し口流路に接続した該浮遊物分離タンクの形状は大別して矩形タイプと円形タイプに分けられ、比重差を利用して浮遊物が浮上し易いように円形タイプでは、タンク内において旋回流を与えるサイクロンタイプ、矩形タイプでは、タンク後壁側の高さ方向中間の位置に流れを制御して浮遊物を分離するための浮遊物分離ガイドを設置した構造を特徴とする浮遊物回収用ポンプ装置および回収船
【発明の詳細な説明】
【技術分野】
【０００１】
本発明は水面に浮かぶ流出油やアオコ・スカムおよびゴミなどの浮遊物をポンプにより取り込み、分離タンクで浮遊物を回収する装置に関する
【背景技術】
【０００２】
従来は、海洋において、油流出事故が発生した場合、オイルフェンスを張り、油吸着材で回収するか油処理剤などで分散・分解する方法がある。流出油の処理装置としては、双胴船の双胴間に下端が水面下に没する回転翼車（水車）を設け、ゲル化剤との混合攪拌による油物質のゲル化を促進し、回収するもの（特許文献１）もあるが、装置が大掛かりで、小回りもきかず、回収しても、再利用は難しい。また、ポンプを吸引力として利用した浮遊物を回収する方法（特許文献２）やバキュウムポンプで流出油を回収する方法（特許文献３）もあるが、吸込み流れが不安定で一様でないため、回収効率は良くない。
【先行技術文献】
【特許文献】
【０００３】
【特許文献１】特開昭５９−１５６８９０号公報
【特許文献２】特開昭５９−２３０８８７号公報
【特許文献３】特開平４−２６６５８８号公報
【発明の概要】
【発明が解決しようとする課題】
【０００４】
浮遊物の回収技術向上のためには、水面付近において一様で幅広の層状的な吸込み流れを強めて確実に浮遊物を取り込むこと、浮遊物を取り込んだ後、浮遊物のみを効率的に分離回収する技術を必要とする。流出油事故の場合は、緊急性を考慮した小回りがきくこと、および直接回収による再利用が求められる。
【０００５】
本発明は従来技術の問題点を解決するために、浮遊物を直接取り込むことが出来るポンプを組み込んだ比較的簡単な浮遊物回収装置で、貫流ポンプの流れの特性を生かして、水面付近に一様で幅広の層状的な吸込み流れを作り、浮遊物を効率良くポンプを通して取り込み、分離タンクで回収出来るようにした浮遊物回収装置を提供することを目的とする。
【課題を解決するための手段】
【０００６】
本発明は、貫流ポンプ（クロスフロ−ポンプ）の内部流れの特性を生かし、ポンプによる浮遊物の取り込み技術と浮遊物分離タンクの回収技術を組み合わせた効率良い浮遊物回収装置を提供するものである。即ち、羽根車形状が円筒状で多翼の貫流ポンプの外側ケ−シング形状を浮遊物回収用にアレンジしたポンプ本体を羽根車上端が水面近くに没する程度に設置し、水面付近の流れに貫流ポンプ特有の一様で幅広の層状の安定した吸込み流れを作ることによって、浮遊物を含む流れを直接ポンプに取り込む。その吐出し流れは、乱れの少ない層状の流れを維持しながら浮遊物分離タンクに送られる。この乱れの少ない流れの特性により、水と浮遊物の比重差を利用することによるタンク内での浮遊物の回収が容易となる。
【０００７】
図１に浮遊物吸引用の貫流ポンプ５０の内部構造の概略図を示す。（a）は貫流ポンプ本体の外側ケ−シング形状を浮遊物吸引用にアレンジした断面図、（ｂ）は（ａ）のＹ−Ｙ矢視断面図である。貫流ポンプ５０の本体は、基本的には円筒状の多翼の羽根車７を収容したポンプケ−シング３０と流れを制御する舌部８から構成され、羽根車回転軸２によって駆動用モ−タ１２に接続されている。
【０００８】
流れは図１（ａ）のポンプ断面図に示すように吸込み側９から吐出し側１０に向って２回羽根６を通過する。即ち流れは吸込み側９では、羽根車７の外側から内側へ、吐出し側１０では内側から外側へ流出して羽根車７を横断する。羽根車７は幅方向に長くとれること、また、流れが二次元的で羽根車に接線方向に吐出されることから、吐出し流れは従来技術と異なり、幅広のシ−ト状で乱れも少なく、また拡散することなく、一様な流れとなって遠くまで達することができる。従って従来とは異なり、ポンプによって直接取り込まれた浮遊物は水と浮遊物が複雑に混濁することなく、吐出されるため、吐出し側に設置された浮遊物分離タンクにおける浮遊物の分離が容易である。
【０００９】
また、各羽根６の吸込み側における入口と出口が吐出し側では逆になるため、物が羽根間に詰まりにくい構造であることは回収に当たり、優れた強みである。例えば藻類や小さなクラゲ類および小さなゴミなども直接ポンプに取り込むことが出来る。羽根枚数を変えて羽根ピッチを変えたり、羽根内外径比を変えることによって、浮遊物の性状や大きさに応じた対応が出来るなどの特徴を持っている。
【００１０】
本発明は先の浮遊物回収用ポンプ装置を船にセットして一体化した走行型の浮遊物回収船を構成したもので、その中の浮遊物分離タンクの底部解放口は船の底面あるいは船尾側の外壁を通して外部へ開口していて、該浮遊物吸引用の貫流ポンプにより取り込まれた浮遊物を含む液体のうち、比重の大きい液体は低部開口部より自然に外に流出し、比重の小さい油などの浮遊物はタンク容器内の上部水面付近に集積するような構造になっている。
【００１１】
該浮遊物分離タンクの底部解放口を船尾側に開口するようにすれば、ポンプによる吐出し流れが推進力となるため、スクリュウによる推進を不要とすることも出来る。
【００１２】
本発明は図２の浮遊物吸引用の貫流ポンプ５１の羽根車７の羽根６の外径寸法を６ｂのように羽根車側板７ｂより少し外側に突き出して、吸込み口での浮遊物を掻き込みやすくしたもので、これによれば、空回りすることなく、浮遊物の種類によらず、確実に取り込むことができる。各羽根外径寸法の羽根車側板外径よりの突き出し量は羽根車直径に対し、３〜１０％程度が適当である。
【００１３】
本発明は、流出した毒性のある浮遊物の液体などをポンプ内に取込んで、羽根車中空回転軸の散気孔から処理液や微細気泡を噴出させて、液体を中和して無害化したり水質浄化を助長すること、および装置内の清掃を目的とする。
【００１４】
微細化した気泡や処理液の供給手段は図２に示すように、羽根車７内の中空回転軸３の外周面に多数の散気孔５を穿孔、あるいは多孔質材を貼り付け、中空回転軸３を通して羽根車外部のホ−ス１３に接続したエアポンプ１１と液体ポンプ１１ｂにより処理液単独あるいはエアと一緒に羽根車内の流れの中に散気孔５より微粒子の状態で供給できる構造となっている。
【００１５】
本発明は、該貫流ポンプの吸込み側流路内の羽根車直前に吸込口に向かって水平面に対し、＋３°〜＋１０°程度傾斜したガイドベ−ンを水面近くに没した状態で設置することを特徴とするもので、これによりポンプへの近寄り流れの水面近傍の流れが増速され、水面に淀みのない微小波を発生させることになる。これにより、水面に油膜様の幕を張らないようになり、浮遊物の取り込みを容易にすることが可能となる。
【００１６】
本発明はポンプにより取り込んだ浮遊物を比重差を利用して分離回収するための浮遊物分離タンクの形状や構造についての技術を提供するものである。タンクは大別して矩形タイプと円形タイプに分けられ、浮遊物が浮上し易いように円形タイプでは、タンク内において流れに旋回流を与えるサイクロンタイプ、矩形タイプでは、タンク後部の高さ方向中間の位置に流れを制御して浮遊物を分離するための浮遊物分離ガイドを設置した構造となっている。
【００１７】
本発明は固定型の浮遊物回収用ポンプ装置で、藻類や浮遊ゴミなどの固形物を回収する浮遊物回収タンクの形状や設置方法についての技術を提供するものである。浮遊物回収タンクは貫流ポンプの吸込み側に接続しても吐出し側に接続してもよい。浮遊物の回収には、外部の海や河川に開放された吸込み側流路や吐出し側流路に浮遊物回収スクリ−ン設置して行う。
【発明の効果】
【００１８】
本発明によれば、流出油や多様な浮遊物をポンプに直接取り込んだ後、容易に浮遊物分離タンクで回収できることから従来の技術よりも回収効率が良く、回収した油の再利用も可能となる。また、有害な浮遊物に対しても羽根車中空回転軸３の散気孔５から処理液や微細気泡を噴出することにより、対処することが可能となる。
【図面の簡単な説明】
【００１９】
【図１】図１は本発明の浮遊物を取り込む貫流ポンプ（クロスフロ−ポンプ）本体の基本構造を示す。（ａ）は貫流ポンプの断面図、（ｂ）は（ａ）のＹ−Ｙ矢視断面図である。
【図２】図２は図１の羽根車および流入口ケ−シング内部に新技術を加えた浮遊物吸引用の貫流ポンプの構造を示す。（ａ）は貫流ポンプの断面図、（ｂ）は（ａ）のＹ−Ｙ矢視断面図である。
【図３】図３は浮遊物回収用ポンプ装置を船にセットし、一体化した浮遊物回収船の構造を示す。（ａ）は平面図、（ｂ）は側断面図である。（実施例１）
【図４】図４は図３の第１の実施例とは浮遊物分離タンクの構造が異なる場合の浮遊物回収船の構造を示す。（ａ）は平面図、（ｂ）は側断面図である。（実施例２）
【図５】図５は図４の第２の実施例とは浮遊物分離タンク後壁側開放口の形状が異なる場合の浮遊物回収船の構造を示す。（ａ）は平面図、（ｂ）は側断面図である。（実施例３）
【図６】図６は図４の第２の実施例の羽根車を３連にして、より幅広く浮遊物を回収できるようにした浮遊物回収船の構造を示す平面図である。（実施例４）
【図７】図７は図３の第１実施例における浮遊物分離タンクを円筒型にした場合の構造を示す。（ａ）は平面図、（ｂ）は側断面図である。（実施例５）
【図８】図８は貫流ポンプを縦型にして、ポンプの吐き出しダクトを円形の浮遊物分離タンクの流入口に接線方向に接続した場合の浮遊物回収船を示す。（ａ）は平面図、（ｂ）は側断面図である。（実施例６）
【図９】図９は図４の第２実施例とは異なる矩形型の浮遊物分離タンクを接続した場合の浮遊物回収船の構造を示す。（ａ）は平面図、（ｂ）は側断面図である。（実施例７）
【図１０】図１０は図９の第７実施例の浮遊物分離タンクと異なり、浮遊ゴミなどの固形の浮遊物を回収する場合の装置を示す。（ａ）は平面図、（ｂ）は側断面図である。（実施例８）
【図１１】図１１は縦置きの貫流ポンプの吸込み側に浮遊物回収タンクを接続した場合の浮遊物回収用ポンプ装置の据付け状態を示す。（ａ）は平面図、（ｂ）は側断面図である。（実施例９）
【図１２】図１２は浮遊物吸引用の貫流ポンプを筏に取り付けた場合の構造を示す。（ａ）は平面断面図、（ｂ）は側断面図である。（実施例１０）
【発明を実施するための形態】
【００２０】
以下に本発明の実施の形態を図３〜図１２を参照して説明する。
【実施例１】
【００２１】
図３は本発明の第１実施例で、請求項１に記載の浮遊物回収用ポンプ装置全体を船にセットし、一体化したときの浮遊物回収船４０の形態を示し、流出油などの回収に利用される。（ａ）は平面図、（ｂ）は側断面図である。本発明の基本的構造は貫流ポンプを中心にして、吸込み側には船首の取水口部に開閉式流入ガイド６１、ポンプの直前の取水流路６４に浮遊物導入ガイドベ−ン６５を設置し、吐き出し側には吐出しダクト５５に接続した浮遊物分離タンク８１が設置されている。タンク底部の開放口７０は船底を通じて外へ開口している。浮遊物のポンプへの取水口６２の開口部は浮遊物のある水面側の流れを幅広く取り込むため、深さ方向を浅くした横長の矩形にし、ポンプ吸込側ケ−シング１５によってポンプ吸込み口に向かってなだらかに接続している。
【００２２】
この実施の形態による流出油などの浮遊物回収では、まず船６０の先首も兼ねた開閉式流入ガイド６１を開いて水面付近に漂う流出油などの浮遊物を取水口６２に導き、取水流路６４において貫流ポンプの羽根車７のすぐ上流側に設置した浮遊物導入ガイドベ−ン６５によって、水面１４付近の流れを増速させるとともに、局部的に水面付近のみを活性化させ、微小な水面波を発生させる。この手法により、油などの浮遊物が水面に幕を張ることなく、浮遊物のポンプへの取り込みを容易にすることが出来る。
【００２３】
浮遊物吸引用の貫流ポンプ５１により水とともに取り込まれた流出油などの浮遊物の吐き出し流れは前述のように乱れも少ないため、水と浮遊物は混濁せず、吐出しダクト５５を通って矩形型浮遊物分離タンク８１に運び込まれる。この浮遊物分離タンク８１は矩形型で流入口部に水平方向導入ガイド６８、後壁側に浮遊物分離ガイド６９、底部に船底開放口７０を設けた構造になっている。
【００２４】
浮遊物分離タンク８１においては、流入口部において水平方向導入ガイド６８によりポンプの吐出しダクト５５からの流入を水平方向に向かわせ、比重の小さい浮遊物が浮上し易いようにする。タンク後壁側では、下向きの流れに含まれる浮遊物のみを水面側に戻すために流れを制御する浮遊物分離ガイド６９を設置し、比重差を利用して浮遊物のみ上方に向かうようにする。余分の水は船底開放口７０から外部に自然流出し、浮遊物分離タンク８１の水位のバランスが保たれる。
【００２５】
浮遊物分離タンク８１の水面側に集められた油などの浮遊物は浮遊物回収導入パイプ７１を通って浮遊物回収容器７３に集められる。浮遊物は浮遊物分離タンク８１の入口側に集まりやすいため、回収容器の位置は場所の余裕があれば、浮遊物分離タンク８１の前側に置いた方がよい。あるいはフレキシブルホ−スなどによるサイホン作用を利用して直接水面側から回収容器へ回収してもよい。本発明によれば、流出油を直接回収できるため、再利用できるメリットがある。
【００２６】
水質浄化や浮遊物の浮上を助長する手段としては、請求項４に記載の技術を利用できる。エアポンプ１１により該中空回転軸３に供給された気体を前述の図２に示す散気孔５を通して羽根車内中心部に細かな気泡として噴出させ、その微細な気泡が均一に混入した状態で羽根車７の内側から外側を通ってポンプの吐出し流れと共に供給される。この気泡を伴う流れによって、水質を浄化したり、吐出し部において浮遊物の浮上を助長し、回収を容易にする。
【００２７】
流出した浮遊物が回収できない毒性のある液体などを処理する場合には、液体ポンプ１１ｂにより有害液を無害にするための処理液をホ−ス１３を通して貫流ポンプの羽根車の中空回転軸３に供給し、回転を伴いながら該散気孔５から微粒化した処理液を羽根車内に噴出させ、取込んだ有害液などに均一に混入させることによって、無害化することができる。  
【００２８】
ポンプのメンテナンスおよび洗浄は吸込み側水門５８と吐出し側水門５９を閉じることによって行う。装置の洗浄はポンプを空運転しながら、液体ポンプ１１ｂにより洗浄液を該羽根車中空軸散気孔５の装置に供給して行う。
【実施例２】
【００２９】
図４は本発明の第２実施例の流出油などの浮遊物回収船４１の形態を示す。（a）は平面図、（ｂ）側断面図である。本装置の構造は、図３の第一の実施例と異なり、浮遊物分離タンク８２の底部の開放口は船底側でなく、浮遊物分離タンク後壁側開放口７４から船尾開放口８０を通じて外部（海、河川）へ通じている。
【００３０】
この実施の形態によれば、浮遊物分離ガイド６９の部分で、比重差により分離された余分の水は該浮遊物分離ガイド６９の下を通って船尾開放口８０から外へ流出する。船外部への開放口の位置は船底側でも船尾側でも構わないが、開放口を船尾側に設ければ、排出速度により船の推進力が得られるという利点がある。
【００３１】
船首入口部にあるバ−スクリ−ン６３は、貫流ポンプに直接取り込むことができない大きな固形浮遊物を回収するため、および浮遊物の種類によりポンプ上流側で回収した方が良いときに対応できるようにしたものである。
【実施例３】
【００３２】
図５は本発明の第３実施例の浮遊物回収船４２の形態を示す。（a）は平面図、（ｂ）は側断面図である。本装置の構造は、図４の第２の実施例と異なり、浮遊物分離タンク後壁側開放口７４から船尾開放口８０へ接続した排出パイプ９１の途中に電動排出コントロ−ルバルブ９０を設けて、バルブ開度を調節することによりタンクからの排出量や排出スピ−ドを変え、また左右のバルブ開度を変えることによって船の速度や方向変換が出来ようにしている。この方法では、スクリュウによる推進は必要とせず、ゆっくりしたスピ−ドで動くため、浮遊物回収に適している。
【実施例４】
【００３３】
図６は本発明の第４実施例の浮遊物回収船４３の形態を示す平面図である。貫流ポンプ５２の流れは２次元的であるから、吸込みの流入口幅を増やすためには、単純に羽根車７の軸方向の長さを増やせばよい。あるいは本図に示すように羽根車７を数個幅方向に連結すればよい。本実施例は羽根車７を３個接続した場合で、他の構成は図４の第２実施例の形態と同様である。
【実施例５】
【００３４】
図７は本発明の第５実施例の浮遊物回収船４４の形態を示す平面図（a）と側断面図（ｂ）である。本技術は浮遊物分離タンク８４の形状を矩形ではなく、円筒形にしたものである。吐出しダクト５５から円筒形の浮遊物分離タンク８４に流入した流れは、センタ−分離壁８６によって左右に分かれ、円筒に沿う循環流を生じながら、比重差によって、浮遊物は水面側に集められる。センタ−分離壁８６は油などの浮遊物の浮上を助長するために下膨らみになっている。余分の水は底部開口部より自然流出し、水位のバランスが保たれる。浮遊物回収容器７３ｂは、仕切り板７７によって、油室７８と水室７９に分けられている。
【００３５】
浮遊物の回収容器７６を仕切り板７７によって、油室７８と水室７９に分けたのは、次の理由による。本装置による浮遊物の回収効率は、貫流ポンプ羽根車７の没水深さに関係する船の喫水に影響されやすいので、浮遊物の回収量に応じて、水室の水量を放出調整して船の喫水を最適の位置に保つためである。
【００３６】
貫流ポンプ羽根車７を適正な没水深さにする方法としては、ポンプ吸込み側ケ−シング１５と吐出しダクト５５の一部をフレキシブルホ−スにしてポンプ本体を上下可能にする方法もある。また、ポンプと一体の前後のフランジ２５、２６を上下にスライドできるようにして調節する方法もある。
【実施例６】
【００３７】
図８は本発明の第６実施例の浮遊物回収船４５の形態を示す。（ａ）は平面図、（ｂ）は側断面図である。本実施例では浮遊物吸引用の貫流ポンプ５３の据付けが第１〜第５の実施例とは異なり、縦置きになっているのが特徴である。ポンプケ−シング形状３１はポンプと分離タンクの位置関係を考慮してアレンジしている。この実施の形態によれば円筒形の浮遊物分離タンク８５は、吐出しダクト５６からの流れが分離用タンクに接線方向に流入する構造であり、流れは円形のタンク内を旋回しながら、分離に要する時間を長くし、浮遊物と水を分離しやすくする。余分の水は船底開放口７０ｂから自然流出し、タンク内の水位が保たれる。
【００３８】
縦置きでは、横置きのように幅方向に長く取れないが、駆動用モ−タ１２ｂが水面上に設置できることから、据付およびメンテナンスが容易である。縦置きは小規模の浮遊物回収に対して有効である。また、水面近くの流れのみの流入が得られるので浮遊物を確実に取り込むことが出来る。
【実施例７】
【００３９】
図９は本発明の第７実施例の浮遊物回収船４６の形態を示す。（ａ）は平面断面図、（ｂ）は側断面図である。本発明は第６実施例と同じく、浮遊物吸引用の貫流ポンプ５４の据付けは縦置きであるが、浮遊物分離タンク８３は矩形で、タンクの船尾側は全面的に開放されていて、外海や河川と通じている。ポンプケ−シング形状３２はポンプと分離タンクの中心位置がほぼ一致するようにアレンジしている。
【００４０】
この実施の形態によれば、浮遊物分離タンク８３に取り込まれた浮遊物を含む流れは、浮遊物分離板９２によって水面近くの流れをせき止めることによって、比重の小さい油などの浮遊物を回収し、比重の大きい水は浮遊物分離板９２の下を通過して後方に流出する構造になっている。他の構成は図８の第６実施例の形態と基本的には同様である。
【実施例８】
【００４１】
図１０は本発明の第８実施例の浮遊物回収船４７の形態を示す。（ａ）は平面断面図、（ｂ）は側断面図である。本発明は主にアオコや浮遊ゴミなどの小浮遊物を対象にしたもので、油類の回収装置に比べるとシンプルな装置となる。ダム湖などでの浮遊物回収の使用にも適している。
【００４２】
この実施の形態では、図９の第７実施例と同じく、浮遊物回収タンク８７の船尾側は全面的に開放されていて外海や河川と通じている。浮遊物回収タンク８７に取り込まれた浮遊物を含む流れは、浮遊物回収スクリ−ン９４において浮遊物のみ回収される。
【実施例９】
【００４３】
図１１は本発明の第９実施例で、縦置きの浮遊物吸引用の貫流ポンプ５４を池２０に設置した場合の状態を示す。（a）は平面断図、（ｂ）はポンプ縦置き型浮遊物回収装置４７の側断面図である。本実施例では固定据付け型なのでポンプの吸込み側に浮遊物回収タンク８８を接続した構成になっている。また、図２に示す羽根車中空回転軸の散気孔５から微小気泡を噴出すれば水質の浄化にもなる。
【００４４】
この実施の形態によれば、貫流ポンプの流れは乱れが少なく、吐出し流れが遠くまで達する特性により池全体の水面付近の流れの循環を活性化させることができるため、水質を浄化とともにアオコなども発生し難くなる。アオコなどの藻類やゴミなどの浮遊物は、ポンプの吸込側に設置した浮遊物回収スクリ−ン９４によって回収できる。池が広い場合はポンプ台数を増やした方が良い。ゴルフ場などに配置されている池にも利用できる。
【実施例１０】
【００４５】
図１２は本発明の第１０実施例で、筏９５に浮遊物吸引用の貫流ポンプ５４を取り付けて、移動可能にしたものである。この場合はアオコなどの藻類や浮遊ゴミなどを直接貫流ポンプに取り込んだ後、ポンプ吐出口８９に接続したフレキシブルホ−ス９６により、離れた場所で浮遊物を分離用タンクで回収するかそのまま放流する場合を示す。
【００４６】
この実施の形態によれば、筏に貫流ポンプが設置されていることからポンプの吸込み口が水位によらず一定になるため、ダム湖やポンプ機場の前池など水位が大きく変動する所での使用に適している。また、本ポンプは前述のように物が詰りにくいこと、および羽根車７の羽根ピッチを変えることによって羽根間の間隔を容易に変えることができるので、多様でサイズの異なる浮遊物に対応できることが特徴である。例えば、発電所取水口における小クラゲ対策なども考えられる。
【産業上の利用可能性】
【００４７】
本発明の浮遊物回収用ポンプ装置で使用する浮遊物吸引用の貫流ポンプは構造的に物が詰りにくいことから、浮遊物を直接ポンプに取り込み回収できるため、流出油やアオコおよび浮遊ゴミなどの多様な浮遊物回収に適している。特に本装置を船にセットして一体化した走行型の浮遊物回収船は、流出油を直接回収して再利用できるなど優れたメリットがある。
【符号の説明】
【００４８】
２         羽根車回転軸  
３         散気孔を有する羽根車中空回転軸
５         散気孔
６        貫流ポンプの羽根  
６ｂ      羽根先端が羽根車の側板外径より外側に突き出した部分
７        羽根車
７ｂ       貫流ポンプ羽根車の側板
８        ケ−シング舌部  
９        ポンプ吸込側
１０      ポンプ吐出側    
１１      エアポンプ
１１ｂ    液体ポンプ
１２      駆動用モ−タ   
１２ｂ    縦型駆動用モ−タ
１３      ホ−ス    
１４      水面
１４ｂ    液面
１５      ポンプ吸込み側ケ−シング    
２０      池
２５、２６    フランジ      
３０，３１，３２，３３，      ポンプケ−シング
４０，４１，４２，４３，４４，  浮遊物回収船
４５、４６、４７      ポンプ縦置き型浮遊物回収船
４８      浮遊物回収筏
５０，５１，５２    貫流ポンプ
５３，５４     縦置きの貫流ポンプ
５５、５６、５７    吐出しダクト
５８      吸込み側水門
５９      吐出し側水門
６０      船      
６１、６１ｂ、６１ｃ     開閉式流入ガイド
６２      取水口    
６３      バ−スクリ−ン      
６４      取水流路    
６５      浮遊物導入ガイドベ−ン
６８      水平方向導入ガイド    
６９      浮遊物分離ガイド
７０，７０ｂ    船底開放口    
７１      浮遊物回収導入パイプ
７２      バルブ      
７３， ７３ｂ    浮遊物回収容器
７４      浮遊物分離タンク後壁側開放口
７７      仕切り板      
７８      油類回収室      
７９      水室
８０      船尾開放口 
８１，８２，８３    矩形型浮遊物分離タンク 
８４， ８５    円筒型浮遊物分離タンク    
８６      センタ−分離壁
８７、８８    浮遊物回収タンク
８９      ポンプ吐出口    
９０      電動排出コントロ−ルバルブ
９１      排出パイプ
９２      浮遊物分離板    
９４      浮遊物回収スクリ−ン
９５      筏  
９６      フレキシブルホ−ス
９７      ポンプ取付架台
Ｂ       微細気泡
【図１】
0005983963.tif 000002
【図２】
0005983963.tif 000003
【図３】
0005983963.tif 000004
【図４】
0005983963.tif 000005
【図５】
0005983963.tif 000006
【図６】
0005983963.tif 000007
【図７】
0005983963.tif 000008
【図８】
0005983963.tif 000009
【図９】
0005983963.tif 000010
【図１０】
0005983963.tif 000011
【図１１】
0005983963.tif 000012
【図１２】
0005983963.tif 000013